(57)【要約】      （修正有）【課題】冷却ファンの回転に伴う騒音の発生を低減することが可能なプラズマディスプレイ装置を得る。【解決手段】装置は、自発光型の表示パネル６と、この表示パネル６を冷却するための冷却ファン９と、この冷却ファン９の回転駆動を制御する冷却ファン制御手段８と、表示パネル６の平均輝度レベルを算出する平均輝度レベル取得手段７とを備え、冷却ファン制御手段８は、平均輝度レベル取得手段７にて算出した平均輝度レベル値に応じて、冷却ファン９の回転速度を変化させる。【選択図】図１
2013140278.tif 000002
【特許請求の範囲】
【請求項１】
自発光型の表示パネルと、
この表示パネルを冷却するための冷却手段と、
この冷却手段の駆動を制御する制御手段と、
前記表示パネルの一フレーム当たりの平均した輝度である平均輝度レベル値を算出する平均輝度レベル取得手段とを備え、
前記制御手段は、前記平均輝度レベル取得手段にて算出した平均輝度レベル値に応じて、前記冷却手段の冷却効率を変化させる
ことを特徴とする自発光型画像表示装置。
【請求項２】
請求項１記載の自発光型画像表示装置において、
前記制御手段は、前記平均輝度レベル取得手段にて算出した平均輝度レベル値が所定値より大きい場合に、前記冷却手段の冷却効率を高くし、この平均輝度レベルの値が所定値より小さい場合に、前記冷却手段の冷却効率を低くする
ことを特徴とする自発光型画像表示装置。
【請求項３】
請求項２記載の自発光型画像表示装置において、
前記表示パネルが収容される筐体を備え、
前記所定値は、前記筐体内の温度が所定の温度を越えないようにする値である
ことを特徴とする自発光型画像表示装置。
【請求項４】
請求項１記載の自発光型画像表示装置において、
前記表示パネルの画面輝度を設定する画面輝度設定手段と、
この画面輝度設定手段にて決定される画面輝度設定値に基づく画面輝度設定値テーブルとを備え、
前記制御手段は、前記画面輝度設定値テーブルおよび前記平均輝度レベル値に応じて、前記冷却手段の冷却効率を変化させる
ことを特徴とする自発光型画像表示装置。
【請求項５】
請求項４記載の自発光型画像表示装置において、
前記画面輝度設定値テーブルは、画面輝度設定値に比例するテーブルである
ことを特徴とする自発光型画像表示装置。
【請求項６】
請求項１ないし５いずれか１項に記載の自発光型画像表示装置において、
前記冷却手段は、冷却ファンで、
前記制御手段は、前記冷却ファンの回転速度を制御するものである
ことを特徴とする自発光型画像表示装置。
【発明の詳細な説明】
【技術分野】
【０００１】
本発明は、例えば、プラズマディスプレイ装置等の画像表示装置に関し、特に、自発光型の表示パネルを冷却手段にて冷却する自発光型画像表示装置に関する。
【背景技術】
【０００２】
近年、この種の自発光型画像表示装置であるプラズマディスプレイ装置は、装置の薄型化や部品の高密度実装化等によって、筐体内の自然対流のみによる冷却だけでは、表示パネル等から発生する熱を十分に放出できない。そこで、この問題を解決することを目的とした従来技術として、下記特許文献１に記載されているものがある。この特許文献１に記載された従来技術においては、電源回路等の周辺回路やＰＤＰ（プラズマディスプレイパネル）にて発生した筐体内の熱を、冷却ファンを用いて筐体外へ放出させている。
【先行技術文献】
【特許文献】
【０００３】
【特許文献１】特開２０１０−９１７１５号公報
【発明の概要】
【発明が解決しようとする課題】
【０００４】
上記特許文献１に記載された従来技術においては、電源回路等の周辺回路やＰＤＰにて発生した筐体内の熱を、冷却ファンにて排出させているが、この冷却ファンが回転することによる風切り音等の騒音の問題については、何ら考慮されていない。
【０００５】
本発明は、前述した従来技術における実状からなされたもので、その目的は、冷却手段による騒音を低減できる自発光型画像表示装置を提供することにある。
【課題を解決するための手段】
【０００６】
上記の課題を解決するために、本発明は、自発光型の表示パネルと、この表示パネルを冷却するための冷却手段と、この冷却手段の駆動を制御する制御手段と、前記表示パネルの一フレーム当たりの平均した輝度である平均輝度レベル値を算出する平均輝度レベル取得手段とを備え、前記制御手段は、前記平均輝度レベル取得手段にて算出した平均輝度レベル値に応じて、前記冷却手段の冷却効率を変化させることを特徴としている。
【０００７】
このように構成された本発明によれば、自発光型の表示パネルの発光に伴う平均輝度レベル値の増減に応じて発熱量が変化する。このため、平均輝度レベル取得手段にて算出した表示パネルの平均輝度レベル値に応じて、冷却手段の冷却効率を制御手段にて変化させ、平均輝度レベル値が低く発熱量が少ない場合に冷却手段の冷却効率を低くする。この結果、この冷却手段から生じる騒音を低減することができる。
【０００８】
また、上記構成において、前記制御手段は、前記平均輝度レベル取得手段にて算出した平均輝度レベル値が所定値より大きい場合に、前記冷却手段の冷却効率を高くし、この平均輝度レベルの値が所定値より小さい場合に、前記冷却手段の冷却効率を低くすることを特徴としている。
【０００９】
このように構成すると、所定値より平均輝度レベル値が大きい場合に冷却手段の冷却効率を高くし、この所定値より平均輝度レベル値が小さい場合に冷却手段の冷却効率を低くする。この結果、発熱量に起因した表示パネルの平均輝度レベル値に対応させて、冷却手段を二段階に制御できるから、制御手段による比較的簡単な制御で冷却手段から生じる騒音を低減することができる。
【００１０】
また、上記構成において、前記表示パネルが収容される筐体を備え、前記所定値は、前記筐体内の温度が所定の温度を越えないようにする値であることを特徴としている。
【００１１】
このように構成すると、平均輝度レベル値が所定値より大きくなると冷却手段の冷却効率を高くするため、表示パネルが収容される筐体内の温度が所定の温度を越えないようにできる。
【００１２】
また、上記構成において、前記表示パネルの画面輝度を設定する画面輝度設定手段と、この画面輝度設定手段にて決定される画面輝度設定値に基づく画面輝度設定値テーブルとを備え、前記制御手段は、前記画面輝度設定値テーブルおよび前記平均輝度レベル値に応じて、前記冷却手段の冷却効率を変化させることを特徴としている。
【００１３】
このように構成すると、画面輝度設定手段にて決定される画面輝度設定値に基づく画面輝度設定値テーブルと、平均輝度レベル取得手段にて算出した平均輝度レベル値とに応じて、制御手段が冷却手段の冷却効率を変化させる。このため、表示パネルから発する発熱量に対応させてより正確に冷却手段の冷却効率を変化させることができるから、この冷却手段から生じる騒音をより確実に低減させることができる。
【００１４】
また、上記構成において、前記画面輝度設定値テーブルは、画面輝度設定値に比例するテーブルであることを特徴としている。
【００１５】
このように構成すると、画面輝度設定値に比例する画面輝度設定値テーブルを用いることにより、画面輝度設定手段にて設定された表示パネルの画面輝度に対応させて制御手段による冷却手段の冷却効率の変化を制御することができる。よって、冷却手段の冷却効率をより正確に変化させることができ、この冷却手段から生じる騒音をより確実に低減させることができる。
【００１６】
また、上記構成において、前記冷却手段は、冷却ファンで、前記制御手段は、前記冷却ファンの回転速度を制御するものであることを特徴としている。
【００１７】
このように構成すると、冷却ファンは、回転速度を高くすると冷却効率が高くなるとともに騒音が大きくなり、回転速度を低くすると冷却効率が低くなるとともに騒音が小さくなる。よって、この冷却ファンの回転速度を、平均輝度レベル取得手段にて算出した平均輝度レベル値に応じて制御手段にて制御することにより、この冷却ファンから生じる騒音を低減することができる。
【発明の効果】
【００１８】
本発明によれば、表示パネルの平均輝度レベル値に応じて、冷却手段の冷却効率を変化させ、平均輝度レベル値が低く発熱量が少ない場合に冷却手段の冷却効率を低くすることにより、この冷却手段から生じる騒音を低減することができる。
【図面の簡単な説明】
【００１９】
【図１】本発明の第１実施形態に係るプラズマディスプレイ装置を示す概略構成図である。
【図２】上記プラズマディスプレイ装置の平均輝度レベル値に対する冷却ファンの回転速度を示すグラフである。
【図３】上記プラズマディスプレイ装置の平均輝度レベル値取得以後の冷却ファンの制御を示すフローチャートである。
【図４】上記プラズマディスプレイ装置のステップＳ６０２における冷却ファンの制御を示すフローチャートである。
【図５】上記プラズマディスプレイ装置の冷却ファンの回転速度に対する騒音レベルを示すグラフである。
【図６】本発明の第２実施形態に係るプラズマディスプレイ装置を示す概略構成図である。
【図７】上記プラズマディスプレイ装置の平均輝度レベル値および画面輝度設定テーブル値に対する冷却ファンの回転速度を示すグラフである。
【図８】従来のプラズマディスプレイ装置の時間経過に伴う筐体内の温度を示すグラフである。
【発明を実施するための形態】
【００２０】
＜第１実施形態＞
以下、本発明に係る自発光型画像表示装置について図面を参照して説明する。図１は本発明の第１実施形態に係るプラズマディスプレイ装置を示す概略構成図、図２はプラズマディスプレイ装置の平均輝度レベル値に対する冷却ファンの回転速度を示すグラフである。
【００２１】
本発明の第１実施形態に係るプラズマディスプレイ装置１０は、いわゆる自発光型の画像表示装置であって、図１に示すように、筐体１１を備え、この筐体１１の端部に入力端子１が取り付けられている。この入力端子１は、映像信号を入力させるもので、この入力端子１には映像信号処理手段２が接続されている。この映像信号処理手段２は、高画質化等の表示に最適な画像処理を行うもので、この映像信号処理手段２には、この映像信号処理手段２の出力が入力されるパネル表示制御手段５が接続されている。
【００２２】
そして、このパネル表示制御手段５は、表示パネル６に接続されており、このパネル表示制御手段５の出力が表示パネル６に入力される構成とされている。具体的に、このパネル表示制御手段５は、このパネル表示制御手段５へ入力された画像を、表示パネル２に表示させるための制御を行うものである。ここで、この表示パネル６は、自発光素子にて構成された複数の画素（図示せず）がマトリクス状に取り付けられた自発光型のＰＤＰであって、パネル表示制御手段５の制御に応じて映像を表示するものである。さらに、この表示パネル６は、この表示パネル６の各画素の発光に伴う平均輝度レベル値の増減に応じて、この表示パネル６からの発熱量が増減する構成とされている。
【００２３】
また、映像信号処理手段２には、平均輝度レベル取得手段７が接続されており、この映像信号処理手段２の出力が平均輝度レベル取得手段７に入力される構成とされている。この平均輝度レベル取得手段７は、映像信号処理手段２により画像処理を行った後の映像信号から、表示する映像信号における１フレーム中の各画素の平均した輝度レベルの値を算出して平均輝度レベル値として取得する。言い換えると、この平均輝度レベル取得手段７は、映像信号処理手段２から一定間隔で平均輝度レベルのサンプリング値、すなわち入力値（Ｓ）を取得する構成とされている。
【００２４】
さらに、平均輝度レベル取得手段７には、冷却ファン制御手段８が接続されており、この平均輝度レベル取得手段７の出力が冷却ファン制御手段８に入力される構成とされている。そして、この冷却ファン制御手段８は、平均輝度レベル取得手段７で取得した平均輝度レベル値に応じて、この冷却ファン制御手段８に接続されている冷却手段としての冷却ファン９の冷却効率、具体的には回転速度を制御する構成とされている。
【００２５】
この冷却ファン９は、この冷却ファン９に印加する電圧を変化させることによって回転速度が制御できる構成とされている。また、この冷却ファン９は、回転速度を高くすると、回転に伴って発生する騒音が大きくなり、回転速度を低くすると、回転に伴って発生する騒音が小さくなる構成とされている。
【００２６】
そして、冷却ファン制御手段８は、図２に示すように、冷却ファン９の回転速度を、従来の固定の回転速度である高速と、この回転速度より低い回転速度の低速との二段階の速度で制御する構成とされている。具体的に、この冷却ファン制御手段８は、平均輝度連レベル取得手段７にて取得した表示パネル６の平均輝度レベル値が所定値Ａより大きい場合に、筐体１１内の温度が高いと判断して冷却ファン９の回転速度を高速とする。また、この冷却ファン制御手段８は、平均輝度連レベル取得手段７にて取得した平均輝度レベル値が所定値Ａより小さい場合に、筐体１１内の温度が低いと判断して冷却ファン９の回転速度を低速とする。
【００２７】
さらに、この冷却ファン制御手段８は、平均輝度レベル取得手段７にて取得した入力値（Ｓ）に対応する回転速度（Ｓ）の継続をチェックし、この回転速度（Ｓ）が一定期間続いた場合にのみ、冷却ファン９の回転速度を変更させる。すなわち、この冷却ファン制御手段８は、映像の平均輝度レベルにおいて急峻な変化が続く場合においては、冷却ファン９の回転速度を頻繁に変化させない制御をする。よって、この冷却ファン制御手段８は、例えば冷却ファン９の回転速度が高速の状態で平均輝度レベル値がしばらくの間、暗い状態が続いた場合に、この冷却ファン９の回転速度を低速に制御する。
【００２８】
ここで、表示パネル６の発光と温度の関係について説明する。この表示パネル６は、この表示パネル６上にマトリクス状に形成されている各画素の発光に伴って発熱する。そして、この表示パネル６の発熱量は、発光している画素の数、および発光度合（輝度）に比例する。さらに、この表示パネル６の他、パネル表示制御手段５等が搭載された電気回路（図示せず）や、電源を供給する電源回路（図示せず）等も発熱する。このため、冷却ファン制御手段８は、プラズマディスプレイ装置１０を構成する各部品が所定の許容温度を越えないよう、すなわち筐体１１内の温度が所定の許容温度を越えないようにする所定値Ａを基準としている。そして、この冷却ファン制御手段８は、所定値Ａを基準として冷却ファン９の回転速度を高速または低速の二段階に切り替え制御する構成とされている。なお、この所定値Ａは、プラズマディスプレイ装置１０の筐体１１内の温度を測定した実測データに基づいて、この筐体１１内の温度がＴ限界値を越えないと想定される値に設定されている。
【００２９】
次に、上記第１実施形態に係るプラズマディスプレイ装置１０の冷却ファン９の制御について説明する。
【００３０】
図３は、プラズマディスプレイ装置１０の平均輝度レベル値取得以後の冷却ファン９の制御を示すフローチャート、図４はプラズマディスプレイパネル装置１０のステップＳ６０２における冷却ファン９の制御を示すフローチャートである。
【００３１】
まず、プラズマディスプレイ装置１０の電源をオンにすることにより、本フローの冷却ファン９の制御が開始される。
【００３２】
次いで、表示パネル６が直近まで使用されており、この表示パネル６が高い温度を保っている状態である可能性があることから、回転速度（Ｓ）の初期値を高速とし、この回転速度（Ｓ）の基礎となる入力値（Ｓ）の初期値を最大とする（ステップＳ６０１）。
【００３３】
この後、平均輝度レベル値の安定確認回数、すなわちＣｎｔの初期値を０（ゼロ）としてから、同じ回転速度に相当する入力値（Ｓ）が平均輝度レベル取得手段７にて取得され続けるかどうかについて、入力値の安定確認を行う（ステップＳ６０２）。
【００３４】
ここで、このステップＳ６０２での入力値の安定確認の詳細を、図４を参照して説明する。
【００３５】
まず、平均輝度レベル取得手段７にて入力値（Ｔ１）を取得し（ステップＳ７０１）、この取得した入力値（Ｔ１）に対応する回転速度（Ｔ１）を回転速度（Ｓ）と比較する（ステップＳ７０２）。このとき、この回転速度（Ｔ１）が回転速度（Ｓ）に等しい場合には、Ｃｎｔをカウントアップ（Ｃｎｔ＋１）してから、ステップＳ６０２へリターンする。
【００３６】
一方、回転速度（Ｔ１）が回転速度（Ｓ）に等しくない場合には、平均輝度レベル取得手段７にて次の入力値（Ｔ２）を取得する（ステップＳ７０４）。この後、この取得した入力値（Ｔ２）に対応する回転速度（Ｔ２）を回転速度（Ｓ）と比較し（ステップＳ７０５）、この回転速度（Ｔ２）が回転速度（Ｓ）に等しい場合には、ステップＳ７０３へ進む。
【００３７】
ここで、これらステップ７０４およびステップＳ７０５は、回転速度（Ｔ１)が連続した同じ回転速度の中で、一度だけ外れていると考えられることから、カウントを継続させている。
【００３８】
さらに、ステップＳ７０５にて回転速度（Ｔ２）が回転速度（Ｓ）に等しくない場合は、回転速度（Ｓ）から二度連続して値が変化したとみなし、Ｃｎｔを０（ゼロ）にリセットする（ステップＳ７０６）。この後、入力値（Ｓ）に入力値（Ｔ１）を代入してから（ステップＳ７０７）、ステップＳ６０２へリターンする。
【００３９】
そして、このステップＳ６０２の後には、Ｃｎｔが規定回数に達しているか否かを判別し（ステップＳ６０３）、このステップＳ６０３での判別でＣｎｔが規定回数に達していない場合は、ステップＳ６０２に進み、入力値（Ｓ）の安定確認を繰り返す。
【００４０】
一方、ステップＳ６０３での判別でＣｎｔが規定回数に達している場合は、回転速度（Ｓ）と現在の回転速度を比較する（ステップＳ６０４）。そして、このステップＳ６０４での比較により回転速度（Ｓ）と現在の回転速度とが等しい場合には、冷却ファン９の回転速度を変更せず、Ｃｎｔを０（ゼロ）にリセットしてから（ステップＳ６０５）、ステップＳ６０２に戻り、入力値の安定確認を繰り返す。
【００４１】
また、ステップＳ６０４での比較により現在の回転速度が低速で回転速度（Ｓ）が高速の場合は、冷却ファン９の回転速度を回転速度（Ｓ)、すなわち高速に変化させる（ステップＳ６０６）。次いで、Ｃｎｔを０（ゼロ）にリセットしてから（ステップＳ６０７）、ステップＳ６０２へ戻り、入力値の安定確認を繰り返す。
【００４２】
さらに、ステップＳ６０４での比較により現在の回転速度が高速で回転速度（Ｓ）が低速の場合は、Ｃｎｔ＋Ｘに達しているか否かを判別する（ステップＳ６０８）。そして、このステップＳ６０８での判別の結果、Ｃｎｔが規定回数＋Ｘに達していない場合は、ステップＳ６０２に戻り、引き続き入力値の安定確認を行う。
【００４３】
一方、ステップＳ６０８での判別の結果、Ｃｎｔが規定回数＋Ｘに達している場合は、冷却ファン９の回転速度を回転速度（Ｓ）、すなわち低速に変化させる（ステップＳ６０６）。次いで、Ｃｎｔを０（ゼロ）にリセットしてから（ステップＳ６０７）、ステップＳ６０２へ戻り、入力値の安定確認を繰り返す。
【００４４】
ここで、冷却ファン９の現在の回転速度が高速であることは、筐体１１内の温度が高い可能性が高く、冷却ファン９の回転速度をすぐに低速に変化させると、筐体１１内の温度がＴ限界値を超える可能性がある。そこで、規定回数にＸ回を追加して回転速度を低速に変化させるまでの時間を確保している。
【００４５】
さらに、平均輝度レベル値の変動によっては、ステップＳ６０２とステップＳ６０３とを繰り返し、冷却ファン９の回転速度を変化させる処理を行わず、この冷却ファン９の回転速度を変化させないモードが存在する。そして、このモードは、回転速度（Ｓ）≠回転速度（Ｔ１）＝回転速度(Ｔ２)の状態が継続する場合、すなわち入力値（Ｓ）が所定値Ａを超える映像と、この所定値Ａを下回る映像とが、頻繁に存在する場合である。
【００４６】
この場合においては、所定値Ａを超える映像が継続したり、所定値Ａを下回る映像が継続したりしないため、冷却ファン９の回転速度を変化させなくても筐体１１内の温度が上昇し過ぎることがなく問題は生じない。また、サンプリングの間隔と規定回数とを調節することによって、ステップＳ６０２とステップＳ６０３とを繰り返すモードに陥ることを緩和することができる。
【００４７】
ここで、一般に、従来のプラズマディスプレイ装置においては、冷却ファン９の回転速度について考慮されておらず、常に一定の回転速度で制御されていた。図８に示すように、従来のプラズマディスプレイ装置においては、電源投入後、表示パネル６等が発熱し、筐体１１内の温度（Ｔ）は、時間が経過するほど上昇していく。そして、この筐体１１内の温度Ｔの限界値、すなわちＴ限界値は、プラズマディスプレイ装置の各部品の信頼度を保証するための温度の限界値である。
【００４８】
さらに、従来のプラズマディスプレイ装置では、筐体１１内の温度（Ｔ）が一番高い場合、すなわち平均輝度レベル値１００％のときにおいても、Ｔ限界値を越えないように冷却ファン９の回転速度を決定していた。この場合においては、図８に示すように、平均輝度レベル値３４％の場合や、平均輝度レベル値１０％の場合は、表示パネル６への電力負荷の低下により発熱量が少なくなるため、筐体１１内の温度上昇は、平均輝度レベル値１００％の場合に比べ小さくなる。
【００４９】
すなわち、表示パネル６の平均輝度レベル値が低い映像信号の場合においても、平均輝度レベル値１００％の場合と同等の冷却をすると、筐体１１内の温度ＴがＴ限界値より低い状態で使用していることとなる。例えば、放送波を受信して表示するテレビジョン装置として、プラズマディスプレイ装置を使用する場合には、受信する放送波の映像信号に平均輝度レベル値１００％の映像はほとんどなく、平均すると平均輝度レベル値３４％程度であることが分かっている。すなわち、従来のプラズマディスプレイ装置においては、ほとんどの状態において余剰に冷却ファン９を回転していることになり、この冷却ファン９の余剰分ほど、この冷却ファン９の回転に基づく騒音が発生している。
【００５０】
また、従来のプラズマディスプレイ装置は、図２に示すように、平均輝度レベル値が変化し、表示パネル６からの発熱量の影響で筐体１１内の温度が上下しても冷却ファン９の回転速度が変動せず、高速の状態で一定となっていた。また、従来のプラズマディスプレイ装置においては、図５に示すように、一定の回転速度で冷却ファン９を回転駆動させており、この冷却ファン９の回転によって発生する騒音レベルが高い状態のものであった。
【００５１】
そこで、上述した第１実施形態のプラズマディスプレイ装置１０のように、表示パネル６の平均輝度レベル値が大きい場合には、冷却ファン９の回転速度を高速の状態とし、この表示パネル６の平均輝度レベル値が小さい状態が続く場合においては、冷却ファン９の回転速度を低速の状態へ変更する構成とした。この結果、この冷却ファン９の回転にて発生する風切り音等の騒音を低減することができる。さらに、この冷却ファン９の回転速度を低速にした場合においても、プラズマディスプレイ装置１０の各部品の信頼度を保証するためのＴ限界値を越えないように、冷却ファン９の回転速度を制御することにより、このプラズマディスプレイ装置１０の各部品の信頼度を確保することができる。
【００５２】
また、筐体１１内の温度が所定の許容温度であるＴ限界値を越えないように、冷却ファン９の回転速度を冷却ファン制御手段８にて高速または低速の二段階に制御する。このため、この冷却ファン制御手段８による比較的簡単な制御により、筐体１１内を確実に冷却することができるとともに、冷却ファン９から生じる騒音を低減することができる。
【００５３】
＜第２実施形態＞
次に、本発明によるプラズマディスプレイ装置の第２実施形態について、図６を用いて説明する。
【００５４】
図６は本発明の第２実施形態に係るプラズマディスプレイ装置を示す概略構成図、図７はプラズマディスプレイ装置の平均輝度レベル値および画面輝度設定テーブル値に対する冷却ファンの回転速度を示すグラフである。なお、第２実施形態のうち第１実施形態と同じ構成については、同一の符号を付して、その説明を省略する。
【００５５】
具体的に、この第２実施形態のプラズマディスプレイ装置２０は、第１実施形態のプラズマディスプレイ装置１０の構成に加え、表示パネル６の画面輝度を設定するための画面輝度設定手段３と、この画面輝度設定手段３から出力される画面輝度設定値が入力される画面輝度設定値テーブル４とを備えている。そして、この画面輝度設定値テーブル４は、この画面輝度設定値テーブル４の出力がパネル表示制御手段５の入力と冷却ファン制御手段８の入力とに接続されている。
【００５６】
そして、画面輝度設定手段３は、市販の薄型テレビにおいては、ユーザーが設置環境や映像内容に合わせてメニュー画面から画面設定モードとしての映像モードを選択でき、映像モード毎に画面表示に関する調整値（初期値）が設定されている。なお、この映像モードとしては、標準的な標準モード（スタンダードモード）、高い設定値であるスーパーモード、周囲の明るさに応じて設定値を変動させる省エネモード（センサオートモード）、低い設定値のシアターモード等がある。そして、これら映像モード毎に、画面輝度設定手段３にて設定される画面輝度が変更される。特に、この画面輝度設定値テーブル４は、映像モードとは無関係に、プラズマディスプレイ装置２０の表示パネル６の画面輝度において、表示パネル６のピーク輝度を制限するピーク輝度制限値にて決定されている。そして、このピーク輝度制限値は、各映像モードの中でさらに個別に調整できるのが一般的である。
【００５７】
また、画面輝度設定値テーブル４は、画面輝度設定手段３にて設定された画面輝度設定値を、内部の演算で使用するための出力値に変換するための変換テーブルである。すなわち、画面輝度設定値テーブル４は、画面輝度設定手段３にて設定された画面輝度設定値に比例した変換テーブルとされている。そして、図７は、平均輝度レベル値および画面輝度設定テーブル７に対する冷却ファン９の回転速度の対応を示しており、この図７中の実線で囲まれた範囲において、所定の基準として長破線Ｌの左側を低速、この長破線Ｌの右側を高速として設定されている。
【００５８】
なお、この長破線Ｌは、プラズマディスプレイ装置２０の温度特性から定められるものであって、このプラズマディスプレイ装置２０の筐体１１内の温度の実測データに基づいて定められる。さらに、この長破線Ｌは、画面輝度設定値が０（ゼロ）の場合に、一般的な放送波の映像輝度レベルである３４％の点から、負の傾き方向に延びる直線とされている。なお、この長破線Ｌの傾きは、筐体１１内の温度の実測データに基づいて定められる。
【００５９】
以上から、上記第２実施形態のプラズマディスプレイ装置２０は、画面輝度設定値に基づく画面輝度設定値テーブル４において、冷却ファン９の回転速度を低速または高速に切り換える平均輝度レベル値が変化している。よって、上述した第１実施形態のプラズマディスプレイ装置１０と異なるのは、入力値（Ｓ）から回転速度（Ｓ）を求める場合に、画面輝度設定値テーブル４から取得した値を考慮する点である。
【００６０】
ここで、従来のプラズマディスプレイ装置においては、図７中の実線で囲まれた範囲すべてにおいて冷却ファン９を高速回転させていた。そこで、上述した第２実施形態のプラズマディスプレイ装置２０のように構成した。この結果、例えば平均輝度レベル値が大きい状態が続いた後、平均輝度レベル値が小さい状態が続く場合に、図３および図４に示すように、冷却ファン制御手段８にて冷却ファン９の回転速度を制御して、この冷却ファン９の回転速度を高速から低速へ変化させることができる。したがって、本第２実施形態のプラズマディスプレイ装置２０においても、第１実施形態のプラズマディスプレイ装置１０と同様に、平均輝度レベル値が小さい状態に高速で回転させていた冷却ファン９の回転速度を低速にすることができる。
【００６１】
よって、第１実施形態のプラズマディスプレイ装置１０と同様に、映像の平均輝度レベル値が小さい場合においては、表示パネル６から発する熱が少なくなる。そこで、プラズマディスプレイ装置２０の各部品の信頼度を保証するための温度を越えない範囲で、表示パネル６の平均輝度レベル値に応じて余剰な冷却ファン９の回転速度を落とすことにより、この冷却ファン９の回転にて発生する騒音を低減することができる。さらに、本第２実施形態においては、入力値（Ｓ）から回転速度（Ｓ）を求める場合に、画面輝度設定値テーブル４から取得した値を考慮しており、画面輝度設定値のパラメータを利用している。よって、表示パネル６の温度推定の精度を向上できるから、冷却ファン９の回転にて発生する騒音をより精度良く確実に低減することができる。
【００６２】
すなわち、例えば所定の等しい平均輝度レベル値の映像を映し出している場合の表示パネル６の発熱量は一定であるが、第１実施形態の場合には、画面輝度設定手段３にて画面輝度を下げ、表示パネル６の発熱量が減少した場合においても冷却ファン９の回転速度が変化しない。これに対し、第２実施形態の場合には、画面輝度設定手段３にて画面輝度を下げ表示パネル６の発熱量が減少した場合に、冷却ファン９の回転速度を低速に制御するため、表示パネル６の画面輝度、すなわち表示パネル６から発する発熱量により正確に対応させて冷却ファン９の回転速度を制御できる。よって、この冷却ファン９の回転速度を、従来のプラズマディスプレイ装置より抑えることができ、この冷却ファン９の回転にて生じる騒音をより確実に低減することができる。
【００６３】
＜その他＞
なお、上記各実施形態では、本発明を実施するための具体的な一例を示したものに過ぎず、これら実施形態によって、本発明の技術的範囲が限定的に解釈されるものではない。
【００６４】
すなわち、上記各実施形態においては、プラズマディスプレイ装置１０，２０の場合について説明したが、例えば自発光する有機ＥＬ（エレクトロルミネッセンス）素子を用いたＥＬディスプレイ装置等の、種々の自発光型画像表示装置であれば、上記各実施形態と同様の作用効果を奏することができる。
【００６５】
さらに、冷却ファン制御手段８にて冷却ファン９の回転速度を高速または低速の二段階に調整する構成について説明したが、この冷却ファン９の回転速度を多段階的に制御したり、表示パネル６の平均輝度レベル値に対応させて冷却ファン９の回転速度を段階的に調整したりする構成とすることもできる。
【００６６】
また、筐体１１内の熱を冷却ファンにて放熱させる構成としたが、この冷却ファン９以外の冷却手段であっても、冷却効率を上げると騒音が大きくなり、冷却効率を下げると騒音が小さくなれば、いずれの冷却手段であってもよい。
【符号の説明】
【００６７】
１    入力端子
２    映像信号処理手段
３    画面輝度設定手段
４    画面輝度設定値テーブル
５    パネル表示制御手段
６    表示パネル
７    平均輝度レベル取得手段
８    冷却ファン制御手段（制御手段）
９    冷却ファン（冷却手段）
１０，２０  プラズマディスプレイ装置（自発光型画像表示装置）
１１  筐体
Ａ    所定値
Ｌ    長破線
【図１】
2013140278.tif 000003
【図２】
2013140278.tif 000004
【図３】
2013140278.tif 000005
【図４】
2013140278.tif 000006
【図５】
2013140278.tif 000007
【図６】
2013140278.tif 000008
【図７】
2013140278.tif 000009
【図８】
2013140278.tif 000010